(57)【要約】【課題】竪樋を作業性よく、かつ、見栄えよく建物の壁面に取付けることのできる竪樋支持構造を提供する。【解決手段】建物の壁面Ｗに取付けられる控え金具Ｂと、竪樋Ｔが固着される竪樋受け部材Ａとからなる竪樋Ｔの支持構造であって、該竪樋受け部材Ａは、竪樋Ｔの外周側面に合わせて曲成した受け板２と、この受け板２の建物側に突設された係合部１とからなり、上記控え金具Ｂは、上記受け板２の建物側側面に合わせて曲成した支持板３と、この支持板３の建物側に連設される壁面固定部４とからなるとともに、上記支持板３には、上記係合部１と係合する係合孔５が設けられる。【選択図】  図１
2005030100.tif 000002
【特許請求の範囲】
【請求項１】
建物の壁面に取付けられる控え金具と、竪樋が固着される竪樋受け部材とからなる竪樋の支持構造であって、該竪樋受け部材は、竪樋の外周側面に合わせて曲成した受け板と、この受け板の建物側に突設された係合部とからなり、上記控え金具は、上記受け板の建物側側面に合わせて曲成した支持板と、この支持板の建物側に連設される壁面固定部とからなるとともに、上記支持板には、上記係合部と係合する係合孔が設けられた竪樋支持構造。
【請求項２】
上記係合部が先端に係止部を備えた平面視矢印形状の一対の係合突起からなる請求項１に記載の竪樋支持構造。
【請求項３】
上記係合孔が上記係合部をスライド自在に受ける長孔状である請求項１に記載の竪樋支持構造。
【請求項４】
上記竪樋受け部材が弾性を有する合成樹脂から形成されたものである請求項１に記載の竪樋支持構造。
【請求項５】
上記竪樋の竪樋受け部材への固着を接着により行なう請求項１に記載の竪樋支持構造。
【発明の詳細な説明】
【技術分野】
【０００１】
本発明は、建物の壁面等に取付けられ竪樋を支持する構造に関する。さらに詳しくは、竪樋を確実に支持するとともに、外観的にも優れた竪樋支持構造に関する。
【背景技術】
【０００２】
従来から、上記竪樋支持構造に関しては種々の構造が提案されている（例えば、特許文献１、２、３参照。）。
【特許文献１】特開２０００−１７７９９号公報（第１〜３頁、第１〜２図）
【特許文献２】特開２０００−２７４０２７号公報（第１〜３頁、第１〜２図、第６図）
【特許文献３】特開２０００−３４８１１号公報（第１〜３頁、第１〜４図）
【発明の開示】
【発明が解決しようとする課題】
【０００３】
上記先行技術を含む公知の竪樋支持構造において、例えば、本願図４に示すように、帯状の竪樋支承金具Ｃを用い、円筒形の竪樋Ｔの全周を着脱自在に把持し、建物の壁面Ｗに取付ける構造が知られている。しかしながら、このような構造の竪樋支承金具Ｃによって竪樋Ｔを支持したとき、竪樋Ｔの正面に位置する竪樋支承金具Ｃが目立つため、外観的に必ずしも好ましいとはいい難い。また、竪樋Ｔの全周を把持したとき重量の大きい竪樋の場合は、位置が下方にずれたり、強風等によって竪樋が振動して控え金具が緩み、しっかりと支持できないという問題がある。本発明は、このような問題を解決して、竪樋支承金具が竪樋の正面に見えることなく、簡単に、かつ、見栄えよく竪樋を建物の壁面に取付けることのできる、竪樋支持構造を提供することをその課題とする。
【課題を解決するための手段】
【０００４】
上記課題を解決するため、本発明においては、つぎのような技術的手段を講じている。すなわち、本発明は、建物の壁面に取付けられる控え金具と、竪樋が固着される竪樋受け部材とからなる竪樋の支持構造であって、該竪樋受け部材は、竪樋の外周側面に合わせて曲成した受け板と、この受け板の建物側に突設された係合部とからなり、上記控え金具は、上記受け板の建物側側面に合わせて曲成した支持板と、この支持板の建物側に連設される壁面固定部とからなるとともに、上記支持板には、上記係合部と係合する係合孔が設けられた竪樋支持構造である。
【０００５】
又、本発明は、上記係合部が先端に係止部を備えた平面視矢印形状の一対の係合突起からなる竪樋支持構造である。
【０００６】
更に、上記係合孔が上記係合部をスライド自在に受ける長孔状である竪樋支持構造である。
【０００７】
更に又、上記竪樋受け部材が弾性を有する合成樹脂から形成された竪樋支持構造である。
【０００８】
又、上記竪樋の竪樋受け部材への固着を接着により行なう竪樋支持構造である。
【発明の効果】
【０００９】
本発明の竪樋支持構造は上記のとおりであり、とくに、上記係合部を先端に係止部を備えた平面視矢印形状の一対の係合突起とし、この係合突起を上下に長い長孔状の係合孔にスライド自在に係合するようにし、又、竪樋受け部材を弾性を有する合成樹脂から形成し、竪樋の竪樋受け部材への固着を接着により行なうようにしたから、公知の竪樋支持構造のように竪樋の正面に位置する支持構造が目だって外観を損なうという欠点を除去でき、しかも作業性よく、竪樋を建物の壁面に取付けることができる。
【発明を実施するための最良の形態】
【００１０】
以下、図面を参照して詳細に説明する。図１は、本発明にかかる竪樋支持構造を示す分解斜視図である。図１からよくわかるように、竪樋受け部材Ａは、円筒形の竪樋Ｔの外周側面に合わせて曲成した受け板２と、受け板２の建物側に突設された一対の係合突起１１からなる係合部１とで構成されるとともに、弾性を有する合成樹脂から形成されている。また、控え金具Ｂは、上記受け板２の建物側側面に合わせて曲成した支持板３と、この支持板３に連設される壁面固定部４とからなるとともに、支持板３には上記係合部１と係合する上下に長い係合孔５が設けられている。上記係合部１は、先端に係止部を備えた平面視矢印形状の一対の係合突起１１からなり、長孔状の係合孔５に弾性的に、かつ、長孔内をスライド自在に嵌挿され、しっかりと弾性係止される。
【００１１】
つぎに、本発明の竪樋支持構造を用いて竪樋Ｔを取付ける方法について説明する。まず、壁面固定部４をビス孔４１にビスを通して壁面に固定し、控え金具Ｂを建物に所定の間隔で取付ける。ついで、竪樋受け部材Ａを、上記一対の係合突起１１を係合孔５に弾性的に嵌挿することによってしっかりと係止させる。このとき、係合突起１１は、上下に余裕を持たせて長孔状の係合孔５の中央部に嵌挿する。このようにして壁面に本発明の竪樋支持構造を所定間隔で取付けた後、受け板２と竪樋Ｔとを接着する。このとき、受け板２に接着剤を塗布するとともに、両面粘着テープを用いて、接着剤が乾燥するまでの間、竪樋Ｔを仮固定することが好ましい。このようにして、本発明の竪樋支持構造を用いて竪樋Ｔを壁面Ｗに取付けた状態を図２の側面図および図３の平面図により示す。なお、上記したように、係合突起１１は、長孔状の係合孔５の中央部で係止されているため、取付け後、軒樋との接続具合、あるいは排水口への取付け具合等により、多少上下に竪樋の位置をずらす必要が生じた場合は、上記長孔状の係合孔５内で係合突起１１をスライドさせれば、作業性よく竪樋の取付け位置の調整を行なうことができる。また、暑さ等による竪樋の伸縮も吸収することができる。
【図面の簡単な説明】
【００１２】
【図１】本発明にかかる竪樋支持構造を示す分解斜視図である。
【図２】本発明の竪樋支持構造を用いて竪樋を壁面に取付けた状態を示す側面図である。
【図３】本発明の竪樋支持構造を用いて竪樋を壁面に取付けた状態を示す平面図である。
【図４】公知の竪樋支持構造を示す側面図である。
【符号の説明】
【００１３】
Ａ        竪樋受け部材
１        係合部
１１      係合突起
２        受け板
Ｂ        控え金具
３        支持板
４        壁面固定部
４１      上記に設けられたビス孔
５        係合孔
Ｔ        竪樋
Ｗ        壁面
Ｃ        従来の竪樋支承金具
【図１】
2005030100.tif 000003
【図２】
2005030100.tif 000004
【図３】
2005030100.tif 000005
【図４】
2005030100.tif 000006